(57)【要約】  【課題】天板上において好適な外観を提供し得るコンセント装置を提供する。  【解決手段】コンセント装置Ｄは、コンセント本体Ｅに設けたプラグ差込孔Ｒを使用可能な使用姿勢（Ｕ）とプラグ差込孔Ｒを不使用状態に収納し得る収納姿勢との間でコンセント本体Ｅを回動可能に支持し得る支持枠体を備えている。コンセント本体Ｅが、使用姿勢（Ｕ）において天板Ｃの上面よりも上に位置し得る第一の表出面Ｐ１と、収納姿勢において天板Ｃの上面と略面一をなす第二の表出面とを備えている。そして、支持枠体の上端が、収納姿勢における第二の表出面よりも低い位置に設定されている。【選択図】図１
2019063144.tif 000002
【特許請求の範囲】
【請求項１】
天板に形成された開口部内に配設されるコンセント本体と、前記天板に取り付けられるものであり前記コンセント本体に設けたプラグ差込孔を使用可能な使用姿勢と前記プラグ差込孔を不使用状態に収納し得る収納姿勢との間で回動可能に支持し得る支持枠体とを備えてなるコンセント装置であって、
前記コンセント本体が、前記使用姿勢において前記天板の上面よりも上に位置し得る前記プラグ差込孔を備えた第一の表出面と、前記収納姿勢において前記天板の上面と略面一をなす第二の表出面とを備えてなり、
前記支持枠体の上端部が、前記収納姿勢における前記第二の表出面よりも低い位置に設定されているコンセント装置。
【請求項２】
前記支持枠体の上端部が、前記天板における開口部の上縁よりも低い位置に設定されている請求項１記載のコンセント装置。
【請求項３】
前記コンセント本体が、前記支持枠体との間に介設された弾性体により前記使用姿勢方向に付勢されているものであり、
前記コンセント本体が、前記支持枠体との間に介設された収納姿勢保持機構により、前記弾性体の付勢力に抗して前記収納姿勢が保持され得るものとなっている請求項１又は２記載のコンセント装置。
【請求項４】
前記コンセント本体が、前記支持枠体に設けたダンパーに係合したものである請求項１、２又は３記載のコンセント装置。
【請求項５】
前記コンセント本体が、前記プラグ差込孔を有した給電装置と、この給電装置を支持する装置支持部材とを備えてなるものであり、
前記給電装置が、前記第一の表出面を備えたものであり、前記装置支持部材が、前記第二の表出面を備えたものである請求項１、２、３又は４記載のコンセント装置。
【請求項６】
前記支持枠体が、前記コンセント本体に突設された軸を支持する軸支持部を有するとともに前記上端部を有した支持枠体本体と、この支持枠体本体の上端部よりも下に配設され上面が前記天板の下面に添接した状態でねじ止めされる天板取付部とを備えたものである請求項１、２、３、４又は５記載のコンセント装置。
【請求項７】
前記天板の下面側における前記開口部の周縁部分に、凹み形状をなす座ぐり部を備えており、この座ぐり部に前記支持枠体本体の上部が配設されている請求項６記載のコンセント装置。
【発明の詳細な説明】
【技術分野】
【０００１】
本発明は、机等の天板に取り付けて使用されるコンセント装置に関する。
【背景技術】
【０００２】
従来から、天板に形成された開口部内に配設されるコンセント装置が知られている（例えば、特許文献１を参照）。このものは、プラグ差込孔を有したコンセント本体を、使用姿勢と収納姿勢との間で回動可能に支持し得る支持枠体に支持させている。そして、プラグ差込孔を使用したい場合にコンセント本体を使用姿勢に操作することができるものとなっている。
【０００３】
ところが、従来のものは、収納姿勢において、支持枠体の上端すなわち上面がコンセント本体の上面と略同じ高さ位置に設定されていた。このため、従来のものでは、天板上に支持枠体とコンセント本体が常に露出しているため、すっきりとした外観を与え難いだけでなく、支持枠体の上面に埃等の汚れが堆積しやすいという不具合があった。
【０００４】
また、従来のものは、支持枠体を天板の開口部に密に嵌合させる必要があるため、天板における開口部を極めて厳格な寸法に形成しなければならず、設計の自由度が著しく制限されていた。
【先行技術文献】
【特許文献】
【０００５】
【特許文献１】実公平７−４４１７８号公報
【発明の概要】
【発明が解決しようとする課題】
【０００６】
本発明は、以上のような事情に着目してなされたもので、少なくとも、天板上において好適な外観を提供し得るコンセント装置を提供することにある。
【課題を解決するための手段】
【０００７】
すなわち、本発明は次の構成をなしている。
【０００８】
請求項１に記載の発明は、天板に形成された開口部内に配設されるコンセント本体と、前記天板に取り付けられるものであり前記コンセント本体に設けたプラグ差込孔を使用可能な使用姿勢と前記プラグ差込孔を不使用状態に収納し得る収納姿勢との間で回動可能に支持し得る支持枠体とを備えてなるコンセント装置であって、前記コンセント本体が、前記使用姿勢において前記天板の上面よりも上に位置し得る前記プラグ差込孔を備えた第一の表出面と、前記収納姿勢において前記天板の上面と略面一をなす第二の表出面とを備えてなり、前記支持枠体の上端部が、前記収納姿勢における前記第二の表出面よりも低い位置に設定されているコンセント装置である。
【０００９】
請求項２に記載の発明は、前記支持枠体の上端部が、前記天板における開口部の上縁よりも低い位置に設定されている請求項１記載のコンセント装置である。
【００１０】
請求項３に記載の発明は、前記コンセント本体が、前記支持枠体との間に介設された弾性体により前記使用姿勢方向に付勢されているものであり、前記コンセント本体が、前記支持枠体との間に介設された収納姿勢保持機構により、前記弾性体の付勢力に抗して前記収納姿勢が保持され得るものとなっている請求項１又は２記載のコンセント装置である。
【００１１】
請求項４に記載の発明は、前記コンセント本体が、前記支持枠体に設けたダンパーに係合したものである請求項１、２又は３記載のコンセント装置である。
【００１２】
請求項５に記載の発明は、前記コンセント本体が、前記プラグ差込孔を有した給電装置と、この給電装置を支持する装置支持部材とを備えてなるものであり、前記給電装置が、前記第一の表出面を備えたものであり、前記装置支持部材が、前記第二の表出面を備えたものである請求項１、２、３又は４記載のコンセント装置である。
【００１３】
請求項６に記載の発明は、前記支持枠体が、前記コンセント本体に突設された軸を支持する軸支持部を有するとともに前記上端部を有した支持枠体本体と、この支持枠体本体の上端部よりも下に配設され上面が前記天板の下面に添接した状態でねじ止めされる天板取付部とを備えたものである請求項１、２、３、４又は５記載のコンセント装置である。
【００１４】
請求項７に記載の発明は、前記天板の下面側における前記開口部の周縁部分に、凹み形状をなす座ぐり部を備えており、この座ぐり部に前記支持枠体本体の上部が配設されている請求項６記載のコンセント装置である。
【発明の効果】
【００１５】
以上説明したように本発明によれば、少なくとも、天板上において好適な外観を提供し得るコンセント装置を提供することができる。
【図面の簡単な説明】
【００１６】
【図１】本発明の一実施形態を示す斜視図。
【図２】同実施形態における斜視図。
【図３】同実施形態における正面図。
【図４】同実施形態における正面図。
【図５】同実施形態における平面図。
【図６】同実施形態における分解斜視図。
【図７】図３におけるＸ−Ｘ線断面図。
【図８】図４におけるＹ−Ｙ線断面図。
【図９】図５におけるＺ−Ｚ線断面図。
【図１０】図５における天板を省略したＵ−Ｕ線断面図。
【図１１】図３における天板を省略したＶ−Ｖ線断面図。
【図１２】図３における天板を省略したＷ−Ｗ線断面図。
【発明を実施するための形態】
【００１７】
以下、本発明の一実施形態を、図１〜１２を参照して説明する。
【００１８】
この実施形態は、本発明を、天板付家具Ａに設けたコンセント装置Ｄに適用したものである。
【００１９】
天板付家具Ａは、図１及び図２に示すように、支持体である脚Ｂと、脚Ｂに支持された天板Ｃと、天板Ｃに取り付けられたコンセント装置Ｄとを備えている。
【００２０】
天板Ｃは、図５に示すように、平面視における中間部に上下方向に貫通する略矩形状の開口部ｃａを備えている。図７〜１０に示すように、天板Ｃの下面ｃｋ側における開口部ｃａの周縁部分には、凹み形状をなす座ぐり部ｃｇが設けられている。
【００２１】
コンセント装置Ｄは、平面視において略長方形状をなす開口部ｃａを設けた天板Ｃに取り付けて使用される。コンセント装置Ｄは、支持枠体Ｆにコンセント本体Ｅを枢着している。そして、コンセント本体Ｅに設けられたプラグ差込孔Ｒを必要時にのみ天板Ｃ上に表出し得るようにしている。なお、本明細書において「プラグ」とは、給電用の端子だけでなく情報通信用の端子を含む概念のものとする。
【００２２】
コンセント装置Ｄは、プラグ差込孔Ｒを有したコンセント本体Ｅと、コンセント本体Ｅのプラグ差込孔Ｒが略水平方向を向く収納姿勢（Ｓ）（図２、図４、図５、図８、図９、図１０、及び、図１２を参照。）と、プラグ差込孔Ｒが水平方向よりも上方を向く使用姿勢（Ｕ）（図１、図３、図７、及び、図１１を参照。）とを採り得るように当該コンセント本体Ｅを支持する支持枠体Ｆとを備えている。
【００２３】
換言すれば、コンセント装置Ｄは、天板Ｃに形成された開口部ｃａ内に配設されるコンセント本体Ｅと、天板Ｃに取り付けられコンセント本体Ｅに設けたプラグ差込孔Ｒを天板Ｃの上面ｃｓよりも上の位置で使用可能な使用姿勢（Ｕ）とプラグ差込孔Ｒを天板Ｃの上面ｃｓよりも下に位置させて不使用状態に収納し得る収納姿勢（Ｓ）との間で回動可能に支持し得る支持枠体Ｆとを備えてなるものである。
【００２４】
図１１、及び、図１２に示すように、コンセント本体Ｅと支持枠体Ｆとの間には、弾性体であるねじりコイルばねＭが設けられている。支持枠体Ｆに対して回動可能に支持されたコンセント本体Ｅは、支持枠体Ｆとの間に介設されたねじりコイルばねＭの付勢力を受けて常に使用姿勢（Ｕ）方向に付勢されている。なお、ねじりコイルばねＭは、図１１、及び、図１２にのみ示している。
【００２５】
図６〜１２に示すように、コンセント本体Ｅは、支持枠体Ｆとの間に介設された収納姿勢（Ｓ）保持機構たるプッシュラッチ機構Ｎにより、ねじりコイルばねＭの付勢力に抗して収納姿勢（Ｓ）が保持され得るものとなっている。
【００２６】
以下、コンセント装置Ｄの各構成について詳述する。
【００２７】
＜コンセント本体Ｅ＞
コンセント本体Ｅは、図６等に示すように、プラグ差込孔Ｒを有した給電装置Ｇと、給電装置Ｇを支持する装置支持部材Ｈとを備えてなる。なお、図７〜９において、給電装置Ｇの内部構造は省略して示している。
【００２８】
給電装置Ｇは、ブロック状の外観をなしたものである。給電装置Ｇは、複数のプラグ差込孔Ｒを有し使用姿勢（Ｕ）において天板Ｃの上面ｃｓよりも上に位置し得る第一の表出面Ｐ１を備えている。給電装置Ｇは、図示しない給電用ケーブルや情報通信用ケーブルを一体に又は着脱可能に設けている。当該給電用ケーブルや情報通信用ケーブルは、天板付家具Ａが設置される建物内に別途設けられた電流供給手段や情報供給手段等と接続し得るようになっている。給電装置Ｇは、四角枠状の形状部分を有した装置支持部材Ｈに内嵌めされるものである。給電装置Ｇは、プラグ差込孔Ｒを有し使用姿勢（Ｕ）において天板Ｃ上に表出し得る表出壁ｇ１と、表出壁ｇ１の裏側に配された装置本体ｇ２とを備えている。
【００２９】
表出壁ｇ１は、略平板状の基材に所定形状のプラグ差込孔Ｒを形成してなるものである。すなわち、表出壁ｇ１は、使用姿勢（Ｕ）において天板Ｃの上面ｃｓよりも上に位置し得るプラグ差込孔Ｒを備えた第一の表出面Ｐ１を備えている。第一の表出面Ｐ１は、図１、図３、図７、及び、図１１に示すように、使用姿勢（Ｕ）において、天板Ｃの上面ｃｓに対して傾斜した姿勢をなすように設定されている。
【００３０】
装置本体ｇ２は、内部に図示しない給電・情報通信用のプラグ接続回路が設けられている。装置本体ｇ２は、表出壁ｇ１に対して略直交する方向を向く外周面を有した周壁ｇ２１を備えている。周壁ｇ２１には、図６に示すように、装置支持部材Ｈの上壁１及び下壁４に対して係合する係止部たる係止爪ｔ１が設けられている。
【００３１】
装置支持部材Ｈは、図６に示すように、給電装置Ｇを外嵌する枠状部分を有してなるものである。装置支持部材Ｈは、給電装置Ｇを保持した状態で、支持枠体Ｆに対して一体的に回動し得るものである。装置支持部材Ｈは、収納姿勢（Ｓ）において天板Ｃの上面ｃｓと略面一をなす第二の表出面Ｐ２を有した上壁１と、上壁１の側端縁から垂下させた左右の側壁２と、左右の側壁２の下端部間に設けられた下壁４とを備えてなる。
【００３２】
上壁１は、収納姿勢（Ｓ）において上側を向き凹凸形状が抑制された平板面状をなす第二の表出面Ｐ２と、内面側に設けられ給電装置Ｇに配された係止爪ｔ１が係合し得る係止部たる爪係合部分ｔ２を備えている。
【００３３】
左右の側壁２には、それぞれ外方に突設された軸ｊを備えている。軸ｊは、基端軸部ｊ１と、基端軸部ｊ１より小径をなす先端軸部ｊ２を備えている。基端軸部ｊ１は、円環状をなすねじりコイルばねＭの中間部分ｍｃ内に位置し、当該ねじりコイルばねＭの中間部分ｍｃを位置決めしている。先端軸部ｊ２は、支持枠体Ｆに設けられた軸受部たる軸受孔８１に支持されるようになっている。左右の側壁２には、ねじりコイルばねＭを上側から覆う被覆壁２１が設けられている。被覆壁２１は、コンセント本体Ｅが使用姿勢（Ｕ）を採る際に、支持枠体Ｆの一部である回動規制壁８３に当接し、コンセント本体Ｅの回転を所定の位置において規制する役割を担っている。左右の側壁２には、ねじりコイルばねＭの他端部分ｍ２を支持するばね支持孔２２を備えている。ばね支持孔２２には、ねじりコイルばねＭの他端部分ｍ２が外側から挿入されるようになっている。
【００３４】
図１１、及び、図１２に示すように、一方側の側壁である左の側壁２には、軸ｊを中心点として、部分円弧状すなわち約四分の一円弧状をなすギア３が一体に設けられている。ギア３は、支持枠体Ｆ側に設けられたダンパーＱと噛み合うようになっている。換言すれば、コンセント装置Ｄは、支持枠体Ｆに設けたダンパーＱのダンパーギアＱ１にコンセント本体Ｅの装置支持部材Ｈに設けたギア３が噛み合うように構成されている。
【００３５】
下壁４は、図６に示すように、内面側に設けられ給電装置Ｇに配された係止爪ｔ１が係合し得る係止部たる爪係合部分ｔ２を備えている。また、下壁４は、外方に突出しプッシュラッチを構成する係合部材ｎ１を一体に設けている。係合部材ｎ１は、収納姿勢（Ｓ）において下壁４の左右方向及び前後方向の中間部から下方に突出した基端突出部ｎ１１と、この基端突出部ｎ１１の先端から後方に向かって延出した先端突出部ｎ１２とを備えている。先端突出部ｎ１２の端部は、収納姿勢（Ｓ）において支持枠体Ｆに取り付けられたプッシュラッチ機構Ｎを構成するプッシュラッチ本体ｎ２に保持されるようになっている。
【００３６】
＜支持枠体Ｆ＞
支持枠体Ｆは、図３〜図１２に示すように、コンセント本体Ｅを回動可能に支持し得る枠状部分を有してなるものである。支持枠体Ｆは、コンセント本体Ｅを使用姿勢（Ｕ）と収納姿勢（Ｓ）との間で回動可能に支持している。
【００３７】
支持枠体Ｆは、上側が開放された箱状をなす支持枠体本体Ｊと、この支持枠体本体Ｊから突設された天板取付部たる取付板Ｋとを備えている。
【００３８】
支持枠体本体Ｊは、コンセント本体Ｅを取り囲む形態をなす起立壁である前壁６、後壁７及び左右の側壁８と、これら前壁６、後壁７及び左右の側壁８の下端部間に配された底壁９とを備えている。支持枠体本体Ｊの上部は、天板Ｃの下面ｃｋ側に形成された座ぐり部ｃｇ内に配設されている。
【００３９】
前壁６は、コンセント本体Ｅの前側に位置するものである。後壁７は、コンセント本体Ｅの後側に位置するものである。左右の側壁８は、前壁６と後壁７の左右の側端部間に配され、コンセント本体Ｅの両側に位置するものである。  左右の側壁８は、コンセント本体Ｅに突設された軸ｊを支持する軸支持部たる軸受孔８１を備えている。左右の側壁８は、支持枠体Ｆにおける最も上端に位置する上端部Ｔを有している。左右の側壁８は、その後部における上縁部分に、ねじりコイルばねＭの一端部分ｍ１を係止し得るばね係合部８２が内方に向けて庇状に突設されている。
【００４０】
支持枠体Ｆにおいて最も上に位置する上端部Ｔ、すなわち、支持枠体本体Ｊにおける左右の側壁８、及び、前壁６の上端部Ｔが、収納姿勢（Ｓ）におけるコンセント本体Ｅの第二の表出面Ｐ２よりも低い位置に設定されている。左右の側壁８、及び、前壁６の上端部Ｔは、天板Ｃの上面ｃｓよりも下に位置するようになっている。支持枠体Ｆの上端部Ｔは、天板Ｃにおける開口部ｃａの上縁（エッジ部分）よりも低い位置に設定されている。図５に示すように、支持枠体Ｆの起立壁である前壁６、後壁７、左右の側壁８は、平面視において、開口部ｃａから視認し得ない位置に位置している。換言すれば、支持枠体Ｆの前壁６、後壁７、左右の側壁８は、平面視において、天板Ｃの開口部ｃａよりも外側に位置している。
【００４１】
底壁９は、その左右方向中央部の上面側に、プッシュラッチ機構Ｎを構成するプッシュラッチ本体ｎ２を配している。また、底壁９は、その左側端部の近傍にコンセント本体Ｅのギア３と噛合するダンパーＱを配している。
【００４２】
ダンパーＱは、油圧制御されたダンパーギアＱ１を有してなるものである。ダンパーギアＱ１は、コンセント本体Ｅが収納姿勢（Ｓ）と使用姿勢（Ｕ）との間を回動する過程において常にギア３と噛合している。ダンパーＱは、ロータリーダンパーと称される既知のものである。ダンパーＱは、油圧を利用してコンセント本体Ｅの回転速度を調整し得るものである。この実施形態におけるコンセント装置Ｄでは、ダンパーＱを使用することにより、ダンパーを使用しない場合と比較してコンセント本体Ｅの収納姿勢（Ｓ）から使用姿勢（Ｕ）に遷移させる際の回動速度をゆっくりとさせることができるようになっている。
【００４３】
取付板Ｋは、支持枠体本体Ｊにおける左右の側壁８の上端部Ｔよりも下の位置に配されている。取付板Ｋは、左右の側壁８の上下方向中間部から水平方向に突設されている。取付板Ｋは、その上面が天板Ｃの下面ｃｋに添接した状態で図示しないねじにより止着されるものである。取付板Ｋには、ねじが挿通し得る上下方向に貫通したねじ挿通孔ｋ１を備えている。
【００４４】
＜ねじりコイルばねＭ＞
ねじりコイルばねＭは、円環状をなす中間部がコンセント本体Ｅにおける装置支持部材Ｈの軸ｊに位置決めされている。ねじりコイルばねＭは、一端部分ｍ１が天板Ｃに取り付けられた支持枠体Ｆに支持されており、他端部分ｍ２がコンセント本体Ｅにおける装置支持部材Ｈに支持されている。より詳しく言えば、ねじりコイルばねＭの一端部分ｍ１は、支持枠体Ｆにおける左右の側壁８のばね係合部８２に係合しており、ねじりコイルばねＭの他端部分ｍ２は、装置支持部材Ｈにおける左右の側壁２のばね支持孔２２に支持されている。ねじりコイルばねＭは、コンセント本体Ｅを使用姿勢（Ｕ）方向に常時付勢しているものである。
【００４５】
＜プッシュラッチ機構Ｎ＞
プッシュラッチ機構Ｎは、支持枠体Ｆとコンセント本体Ｅとの間に配されている。プッシュラッチ機構Ｎは、ねじりコイルばねＭの付勢力に抗して、コンセント本体Ｅを収納姿勢（Ｓ）に保持させ得るものである。
【００４６】
プッシュラッチ機構Ｎは、支持枠体Ｆ側に設けられたプッシュラッチ本体ｎ２と、コンセント本体Ｅ側に設けられプッシュラッチ本体ｎ２と係脱し得る係合部材ｎ１とによって構成されている。この実施形態においては、プッシュラッチ本体ｎ２と係合部材ｎ１とが係合している状態では、コンセント本体Ｅが収納姿勢（Ｓ）に保持されたものとなり、プッシュラッチ本体ｎ２と係合部材ｎ１とが係合していない状態では、コンセント本体Ｅが使用姿勢（Ｕ）を採り得るものとなっている。なお、コンセント本体Ｅの使用姿勢（Ｕ）は、装置支持部材Ｈの側壁２に設けられた被覆壁２１が、支持枠体Ｆに設けられた回動規制壁８３に当接することにより維持されている。
【００４７】
プッシュラッチ本体ｎ２は、支持枠体Ｆの底壁９に取り付けられた本体部ｎ２１に一対のアーム部ｎ２２を図示しないカム機構を介して開閉可能に支持させた既知の構成のものである。
【００４８】
次に、以上に説明した天板付家具Ａに備えたコンセント装置Ｄの作動について説明する。
【００４９】
図２、及び、図５に示すように、収納姿勢（Ｓ）では、天板Ｃの開口部ｃａからコンセント本体Ｅの第二の表出面Ｐ２が表出し得るものとなっている。第二の表出面Ｐ２は平板面状をなしており、天板Ｃの上面ｃｓと略面一をなしている。収納姿勢（Ｓ）では、コンセント本体の第二の表出面Ｐ２以外の部分やコンセント本体Ｅを支持する支持枠体Ｆは、天板Ｃの上面ｃｓからは殆ど視認できないようになっている。本実施形態における天板付家具Ａでは、コンセント本体Ｅのみが開口部ｃａから露出し得るものとなっているため、天板Ｃ上において目立ち難く、且つ、煩雑な感じが抑制された高級感のある外観を呈することができるものとなっている。
【００５０】
例えば、パソコンやスマートフォン等の電子機器に給電をしようとする使用者は、収納姿勢（Ｓ）にあるコンセント本体Ｅの第二の表出面Ｐ２を下方に向かって瞬間的に押圧操作（いわゆる「ワンプッシュ操作」）する。この使用者の操作を受けて、コンセント本体Ｅと支持枠体Ｆとの間に介設されたプッシュラッチ機構Ｎが作動する。すなわち、コンセント本体Ｅが使用者による押圧操作を受けると、コンセント本体Ｅ側に設けられた係合部材ｎ１の先端突出部ｎ１２が、一時的にプッシュラッチ本体ｎ２における本体部ｎ２１側に進入する。そして、先端突出部ｎ１２の一時的な進入により、先端突出部ｎ１２を保持していたアーム部ｎ２２が本体部ｎ２１内に設けられた図示しないカム機構のカム作用によって解放姿勢をとることになる。これにより、コンセント本体Ｅを収納姿勢（Ｓ）に留め置く状態は解除されたことになる。
【００５１】
その後、コンセント本体Ｅと支持枠体Ｆとの間に配されたねじりコイルばねＭの付勢力を受けてコンセント本体Ｅは収納姿勢（Ｓ）から使用姿勢（Ｕ）に遷移し得ることになる。このとき、コンセント本体ＥはダンパーＱに係合しているため、比較的ゆっくりとした動きで使用姿勢（Ｕ）に移行するものとなっている。
【００５２】
使用姿勢（Ｕ）に移行したコンセント本体Ｅは、被覆壁２１の上面が支持枠体Ｆの回動規制壁８３の下面に当接することにより所定の使用姿勢（Ｕ）が保持されるものとなる。使用姿勢（Ｕ）において天板Ｃの上面ｃｓ側に表出したプラグ差込孔Ｒを有した第一の表出面Ｐ１は、天板Ｃの上面ｃｓに対して傾斜した姿勢をなしている。このため、特に使用端側からプラグを差し込もうとする使用者は、プラグ差込孔Ｒに差し込む操作をしても、コンセント本体Ｅが追従して回転し難いものとなっている。
【００５３】
コンセント本体Ｅを使用姿勢（Ｕ）から収納姿勢（Ｓ）に移行する操作は、使用者がコンセント本体Ｅの表出した部分を適宜押圧操作することにより行うことができる。使用者の操作によってコンセント本体Ｅが使用姿勢（Ｕ）から収納姿勢（Ｓ）に達すると、プッシュラッチ機構Ｎが作動して、コンセント本体Ｅは支持枠体Ｆに対して収納姿勢（Ｓ）に保持されるものとなる。
【００５４】
以上説明したように、本実施形態に係るコンセント装置Ｄは、天板Ｃに形成された開口部ｃａ内に配設されるコンセント本体Ｅと、天板Ｃに取り付けられるものでありコンセント本体Ｅに設けたプラグ差込孔Ｒを使用可能な使用姿勢（Ｕ）とプラグ差込孔Ｒを不使用状態に収納し得る収納姿勢（Ｓ）との間で回動可能に支持し得る支持枠体Ｆとを備えてなるものである。そして、コンセント本体Ｅが、使用姿勢（Ｕ）において天板Ｃの上面ｃｓよりも上に位置し得るプラグ差込孔Ｒを備えた第一の表出面Ｐ１と、収納姿勢（Ｓ）において天板Ｃの上面ｃｓと略面一をなす第二の表出面Ｐ２とを備えている。支持枠体Ｆの上端部Ｔが、収納姿勢（Ｓ）における第二の表出面Ｐ２よりも低い位置に設定されている。このため、天板Ｃ上において好適な外観を提供し得るコンセント装置Ｄを提供することができるものとなる。
【００５５】
つまり、支持枠体Ｆの上端部Ｔが、収納姿勢（Ｓ）における第二の表出面Ｐ２よりも低い位置に設定されているため、天板Ｃ上において支持枠体Ｆが視認され難いものとなるため、高級感のあるすっきりとした外観を提供することができるものとなっている。
【００５６】
支持枠体Ｆの上端部Ｔは、天板Ｃにおける開口部ｃａの上縁（エッジ部分）よりも低い位置に設定されている。このため、天板Ｃにおける開口部ｃａの上縁を露出させた形態（いわゆるフレームレスの形態）を無理なく採り得るものとなり、天板Ｃ上における見栄えの良さに資するものとなっている。
【００５７】
コンセント本体Ｅが、支持枠体Ｆとの間に介設された弾性体であるねじりコイルばねＭにより使用姿勢（Ｕ）方向に付勢されているものである。そして、コンセント本体Ｅが、支持枠体Ｆとの間に介設された収納姿勢保持機構であるプッシュラッチ機構Ｎにより、ねじりコイルばねＭの付勢力に抗して収納姿勢（Ｓ）が保持され得るものとなっている。このため、コンセント本体Ｅに対する押圧操作によって、収納姿勢（Ｓ）と使用姿勢（Ｕ）とを柔軟に採り得るものとなっている。
【００５８】
コンセント本体Ｅが、支持枠体Ｆに設けたダンパーＱに係合したものである。このため、コンセント本体Ｅの支持枠体Ｆに対する回動速度をコントロールすることができるため、使用者の心地よい使用感を提供することができるものとなる。
【００５９】
コンセント本体Ｅが、プラグ差込孔Ｒを有した給電装置Ｇと、この給電装置Ｇを支持する装置支持部材Ｈとを備えてなるものである。そして、給電装置Ｇが、第一の表出面Ｐ１を備えたものであり、装置支持部材Ｈが、前記第二の表出面Ｐ２を備えたものである。このため、給電装置Ｇと装置支持部材Ｈとが別個に構成されているため、メンテナンス性に優れたものとなっている。
【００６０】
支持枠体Ｆに設けたダンパーＱに装置支持部材Ｈに設けたギア３が噛み合うように構成されている。このため、コンセント本体Ｅにおける好適な箇所にギア３を有したものとなっている。
【００６１】
第一の表出面Ｐ１が、使用姿勢（Ｕ）において、天板Ｃの上面ｃｓに対して傾斜した姿勢をなすように設定されている。このため、天板Ｃの使用端側から使用する使用者にとって使用しやすいものとなっている。
【００６２】
支持枠体Ｆが、コンセント本体Ｅに突設された軸ｊを支持する軸支持部を有するとともに上端部Ｔを有した支持枠体本体Ｊと、この支持枠体本体Ｊの上端部Ｔよりも下に配設され上面が天板Ｃの下面ｃｋに添接した状態でねじ止めされる天板取付部とを備えたものである。このため、支持枠体Ｆが天板Ｃ上に表出し難いだけでなく支持枠体Ｆが適切に天板Ｃに支持され得る好適な形態を採り得るものとなっている。
【００６３】
天板Ｃの下面ｃｋ側における開口部ｃａの周縁部分に、凹み形状をなす座ぐり部ｃｇを備えており、この座ぐり部ｃｇに支持枠体本体Ｊの上部が配設されている。このため、コンセント装置Ｄを天板Ｃの下面ｃｋに設置するための設計の自由度に優れたものとなる。
【００６４】
なお、本発明は、以上に詳述した実施形態に限られるものではない。
【００６５】
天板に形成される開口部は天板の中央部に限られるものではない。天板の端縁近傍に形成されたものであってもよい。換言すれば、コンセント装置は、天板の中央部に設けられたものに限られるものではない。
【００６６】
コンセント本体は、使用姿勢において天板の上面よりも上に位置し得るプラグ差込孔を備えた第一の表出面と、収納姿勢において天板の上面と略面一をなす第二の表出面とを備えてなるものであればよい。換言すれば、コンセント本体の構成は、種々のものを適用することができるものであり、上述した実施形態に示したものに限定されるものではない。
【００６７】
使用姿勢における第一の表出面は天板面に対して傾斜したものでなくてもよい。
【００６８】
支持枠体の具体的形状は、種々設定され得るものであり、上述した実施形態に示したものに限定されるものではない。例えば、支持枠体の上端部が開口部の下縁よりも低い位置に設定されていても構わない。このようにすれば、開口部の上縁から下方に向かって比較的奥深い隙間が形成されることになるため、開口部のフレームレスを好適に際立たせるものとなる。
【００６９】
弾性体は、ねじりコイルばねに限定されないものであることはいうまでもない。
【００７０】
収納姿勢保持機構は、プッシュラッチ式のものに限られるものではない。例えば、収納姿勢に保持するための保持機構と、保持機構による保持状態を解除するための解除機構とを別個に構成したようなものであってもよい。
【００７１】
天板における開口部及びその近傍には、支持枠体とは別体をなすカバーを適宜設けるようにしてもよいのはもちろんのことである。
【００７２】
その他、各部の具体的構成についても上記実施形態に限られるものではなく、本発明の趣旨を逸脱しない範囲で種々変形が可能である。
【符号の説明】
【００７３】
Ｃ…天板
Ｄ…コンセント装置
Ｅ…コンセント本体
Ｆ…支持枠体
Ｐ１…第一の表出面
Ｐ２…第二の表出面
Ｒ…プラグ差込孔
（Ｕ）…使用姿勢
（Ｓ）…収納姿勢
【図１】
2019063144.tif 000003
【図２】
2019063144.tif 000004
【図３】
2019063144.tif 000005
【図４】
2019063144.tif 000006
【図５】
2019063144.tif 000007
【図６】
2019063144.tif 000008
【図７】
2019063144.tif 000009
【図８】
2019063144.tif 000010
【図９】
2019063144.tif 000011
【図１０】
2019063144.tif 000012
【図１１】
2019063144.tif 000013
【図１２】
2019063144.tif 000014